(57)【特許請求の範囲】
【請求項１】
圧縮機と、凝縮器と、流路切替手段である三方弁と、第一のキャピラリと、冷蔵室用蒸発器と、第二のキャピラリと、冷凍室用蒸発器と、逆止弁と、冷蔵室冷却用ファンと、冷凍室冷却用ファンとを備えた冷蔵室と冷凍室とを有する冷蔵庫において、前記冷蔵室に前記冷蔵室用蒸発器を、前記冷凍室に前記冷凍室用蒸発器をそれぞれ並列に配設し、前記三方弁により冷媒の流れを冷蔵室用蒸発器と冷凍室用蒸発器に切り替え、前記冷蔵室と前記冷凍室を交互に冷却するものであり、前記冷蔵室の温度と前記冷凍室の温度が共に設定温度以下を検出すると前記圧縮機を停止すると共に前記三方弁を全閉とし、各庫内温度の何れか一方が設定温度以上を検知すると前記三方弁を前記冷蔵室用蒸発器側に開としたのち所定時間経過後、前記圧縮機を起動させることを特徴とする冷蔵庫。
【請求項２】
冷蔵室冷却開始時、所定時間、冷凍室冷却用ファンを運転することを特徴とする請求項１に記載の冷蔵庫。
【請求項３】
冷蔵室冷却モード中に冷凍室用蒸発器の温度検知手段が冷凍室の温度検知手段より所定温度以上高いことを検知すると、所定時間内であっても冷凍室冷却用ファンを停止させることを特徴とする請求項２に記載の冷蔵庫。
【請求項４】
冷蔵室冷却モードと冷凍室冷却モードの切替は、現在冷却を行っている庫内の設定温度以下または各冷却モード毎に設定した最大冷却時間経過後に行うことを特徴とする請求項１から請求項３のいずれか一項に記載の冷蔵庫。
【請求項５】
圧縮機停止中に冷蔵室および冷凍室が共に設定温度以上を検知した場合、冷蔵室冷却モードから冷却を開始することを特徴とする請求項１から請求項４のいずれか一項に記載の冷蔵庫。
【請求項６】
冷凍室用蒸発器を除霜する除霜ヒータを有し、前記除霜ヒータにより前記冷凍室用蒸発器を除霜した後は、冷凍室冷却モードから開始することを特徴とする請求項１から請求項５のいずれか一項に記載の冷蔵庫。
【請求項７】
電源投入時は冷蔵室冷却モードから冷却を開始することを特徴とする請求項１から請求項６のいずれか一項に記載の冷蔵庫。
【請求項８】
冷凍サイクルの冷媒として、炭化水素を用いたことを特徴とする請求項１から請求項７のいずれか一項に記載の冷蔵庫。
【発明の詳細な説明】
【０００１】
【発明の属する技術分野】
本発明は、冷蔵室と冷凍室を交互に独立して冷却する冷却システムを有する冷蔵庫に関するものである。
【０００２】
【従来の技術】
図１１に従来の冷却サイクル並びに冷蔵庫の一例として、特開２００１−９１１３０号公報に開示されている冷蔵庫の概略図を示す。
【０００３】
図において、１は圧縮機、２は凝縮器、３は機械室１１内に配設された切替弁であり、５は冷蔵室９内に配設された冷蔵室用蒸発器であり、７は冷凍室１０内に配設された冷凍室用蒸発器である。
【０００４】
４は冷蔵室冷却用である冷蔵室用蒸発器５の上流側に配設された第一のキャピラリであり、６は冷凍室冷却用である冷凍室用蒸発器７の上流側に配設された第二のキャピラリであり、８は冷凍室用蒸発器７の下流側に設けた逆止弁である。
【０００５】
以上のように構成された冷蔵庫について、以下、その動作を説明する。
【０００６】
圧縮機１が駆動された状態で、切替弁３により、圧縮機１から吐出される冷媒が冷蔵室用蒸発器５側に流れるように冷媒流路を切り替えた状態では、圧縮機１において圧縮された冷媒は、高温高圧ガスとなって凝縮器２に送られ、ここで放熱して液化される。そして液化された冷媒は、切替弁３により第一のキャピラリ４を通って冷蔵室用蒸発器５に送られ、所定の温度で蒸発することに伴い周囲の熱を奪い、この結果、周囲の空気を冷却する。ガス化した冷媒は再び圧縮機１において圧縮されるようになる。
【０００７】
このとき、冷蔵室用蒸発器５により冷却された冷気は冷蔵室用ファン１１の送風作用により冷蔵室９に供給され庫内が冷却される。この場合、冷蔵室９の設定温度は例えば＋２℃程度であり、冷蔵室用蒸発器５による蒸発温度が約−５℃程度となるように、圧縮機１の運転周波数が設定される。また、この時の冷蔵室用蒸発器５の圧力は約０．２４ＭＰａである。このような冷却状態を冷蔵室冷却モードという。
【０００８】
また、圧縮機１が駆動された状態で、切替弁３により、圧縮機１から吐出される冷媒が冷凍室用蒸発器７側に流れるように冷媒流路を切り替えた状態では、圧縮機１において圧縮された冷媒は、高温高圧ガスとなって凝縮器２に送られ液化された冷媒は、切替弁３により第二のキャピラリ６を通って冷凍室用蒸発器７に送られ、所定の温度で蒸発することに伴い周囲の熱を奪い、この結果、周囲の空気を冷却する。ガス化した冷媒は逆止弁８を通り、再び圧縮機１において圧縮される。
【０００９】
このとき、冷凍室用蒸発器７により冷却された冷気は冷凍室用ファン１２の送風作用により冷凍室１０に供給され庫内が冷却される。この場合、冷凍室１０の設定温度は約−１８℃であるために、冷凍室用蒸発器７による蒸発温度が約−２８℃となるように、圧縮機１の運転周波数が設定される。また、この時の冷凍室用蒸発器７の圧力は約０.０９ＭＰａである。このような冷却状態を冷凍室冷却モードという。
【００１０】
このような冷蔵庫において、冷蔵室９、冷凍室１０には図示しないがそれぞれ温度センサーが設けられていて、それら各温度センサーの検出信号はマイクロコンピューターを備えた制御回路に入力されるようになる。制御回路は、それらの検出信号と、予め備えた制御プログラムに従って、圧縮機１、切替弁３、冷蔵室用ファン１１、冷凍室用ファン１２などを制御する。
【００１１】
そして、冷蔵室９および冷凍室１０とが共に予め設定された設定温度まで冷却された状態で、圧縮機１を停止させる場合、冷蔵室冷却モードで行う。冷蔵室冷却モードにおいては、切替弁３としては圧縮機１と冷蔵室用蒸発器５の入口とを連通した状態となっており、圧縮機１と冷凍室用蒸発器７の入口との間は遮断されている。この状態で圧縮機１を停止させた場合、高圧側からの高温の冷媒が冷凍室用蒸発器７に流入することはなく、しかも、圧力差のために冷凍室用蒸発器７の出口側の逆止弁３が作用するようになるので、冷蔵室用蒸発器５から冷凍室用蒸発器７への冷媒の逆流もない。従って、冷凍室用蒸発器７には低温の冷媒が保持されることになり、冷凍室用蒸発器７の温度が上昇することを抑えられるようになる。そして、圧縮機１の再起動時には冷凍室冷却モードから開始され、このときに、冷凍室用蒸発器７に保持されていた低温の冷媒が再循環することになるので、冷却効率の良い運転ができる。
【００１２】
【発明が解決しようとする課題】
しかしながら、上記従来の構成は圧縮機１を冷蔵室冷却モードで停止させるので圧縮機１と冷凍室用蒸発器７の入口との間は遮断されているために、冷凍室用蒸発器７の温度上昇に伴う冷凍室１０の昇温は抑制できるが、圧縮機１と冷蔵室用蒸発器５の入口とが連通した状態となっているために、高圧側から高温の冷媒が冷蔵室用蒸発器５に流入し、冷蔵室用蒸発器５の温度上昇に伴う冷蔵室９の温度上昇が大きいという欠点があった。
【００１３】
また、常に圧縮機１を冷蔵室冷却モードで停止させるので、冷蔵室９の冷却が必要ない場合においても冷蔵室９を冷却するなど、庫内温度の変化にフレキシブルに対応できないという欠点もあった。
【００１４】
本発明は、従来の課題を解決するもので、圧縮機停止中の冷蔵室および冷凍室の昇温を最小限にとどめ、且つ冷却時の効率を向上することを目的とする。
【００１７】
【課題を解決するための手段】
本発明の請求項１に記載の発明は、圧縮機と、凝縮器と、流路切替手段である三方弁と、第一のキャピラリと、冷蔵室用蒸発器と、第二のキャピラリと、冷凍室用蒸発器と、逆止弁と、冷蔵室冷却用ファンと、冷凍室冷却用ファンとを備えた冷蔵室と冷凍室とを有する冷蔵庫において、前記冷蔵室に前記冷蔵室用蒸発器を、前記冷凍室に前記冷凍室用蒸発器をそれぞれ並列に配設し、前記三方弁により冷媒の流れを冷蔵室用蒸発器と冷凍室用蒸発器に切り替え、前記冷蔵室と前記冷凍室を交互に冷却するものであり、前記冷蔵室の温度と前記冷凍室の温度が共に設定温度以下を検出すると前記圧縮機を停止すると共に前記三方弁を全閉とし、各庫内温度の何れか一方が設定温度以上を検知すると前記三方弁を前記冷蔵室用蒸発器側に開としたのち所定時間経過後、前記圧縮機を起動させるものであり、圧縮機停止初期に、高温高圧の冷媒が冷蔵室、冷凍室それぞれの蒸発器ともに流入しないので、圧縮機停止直前の最もよく冷却された蒸発器の温度上昇を防止でき、各庫内の温度上昇を効率的に抑えることが可能となる。とともに、圧縮機起動時には冷蔵室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となる。
【００１８】
請求項２に記載の発明は、請求項１に記載の発明において、冷蔵室冷却開始時、所定時間、冷凍室冷却用ファンを運転するものであり、冷凍室用蒸発器内に滞留している冷媒の蒸発を促進し冷凍室用蒸発器から圧縮機へ冷媒をスムーズに供給できるので冷蔵室冷却開始時の冷媒循環量不足を防止でき冷却効率を向上することが可能なる。また、効率的な冷媒供給によりシステム内の冷媒封入量を低減することができる。
【００１９】
請求項３に記載の発明は、請求項２に記載の発明において、冷蔵室冷却モード中に冷凍室用蒸発器の温度検知手段が冷凍室の温度検知手段より所定温度以上高いことを検知すると、所定時間内であっても冷凍室冷却用ファンを停止させるものであり、冷凍室用蒸発器内に滞留していた冷媒が全て圧縮機側へ供給されたか検知することができ、冷凍室用ファンの運転時間を短縮できるので冷蔵室冷却中の冷凍室の昇温を最小限に抑えることが可能となる。
【００２０】
請求項４に記載の発明は、請求項１から請求項３のいずれか一項に記載の発明において、冷蔵室冷却モードと冷凍室冷却モードの切替は、現在冷却を行っている庫内の設定温度以下または各冷却モード毎に設定した最大冷却時間経過後に行うものであり、実際の使用条件下において各庫内を偏ることなく交互に効率よく冷却することが可能となる。
【００２４】
請求項５に記載の発明は、請求項１から請求項４のいずれか一項に記載の発明において、圧縮機停止中に冷蔵室および冷凍室が共に設定温度以上を検知した場合、冷蔵室冷却モードから冷却を開始するものであり、冷蔵室冷却モード中に冷凍室蒸発器内に滞留する冷媒を最小限に抑えることができ冷蔵室冷却の効率を向上することが可能となる。
【００２５】
請求項６に記載の発明は、請求項１から請求項５のいずれか一項に記載の発明において、冷凍室用蒸発器を除霜する除霜ヒータを有し、前記除霜ヒータにより前記冷凍室用蒸発器を除霜した後は、冷凍室冷却モードから開始するものであり、除霜による冷凍室庫内の昇温を最小限に抑えることができアイスクリーム等の冷凍食品の保鮮性を向上することが可能となる。
【００２６】
請求項７に記載の発明は、請求項１から請求項６のいずれか一項に記載の発明において、電源投入時は冷蔵室冷却モードから冷却を開始するものであり、電源投入後初回の前記冷蔵室冷却中に冷凍室蒸発器内に滞留する冷媒を最小限に抑えることができ冷蔵室冷却の効率を向上することが可能となる。
【００２７】
請求項８に記載の発明は、請求項１から請求項７のいずれか一項に記載の発明において、冷凍サイクルの冷媒として、炭化水素を用いたものであり、地球温暖化を抑制できるとともに、冷却効率を高めた冷蔵庫を提供できる。
【００２８】
【発明の実施の形態】
以下、本発明の実施の形態について図１〜図１１を用いて説明する。なお、従来と同一構成については同一符号を付して詳細な説明を省略する。
【００２９】
（実施の形態１）
図１は本発明の実施の形態１における冷蔵庫の断面図であり、図２は同実施例のタイムチャートである。
【００３０】
１８は冷蔵庫箱体であり、上方部に比較的高温の区画である冷蔵室９を、下方部に比較的低温の冷凍室１０を配置しており、例えばウレタンのような断熱材で周囲と断熱して構成している。食品等の収納物の出し入れは図示しない断熱ドアを介して行われる。冷蔵室９は冷蔵保存のために通常１〜５℃で設定されているが、保鮮性向上のため若干低めの温度、例えば−３〜０℃で設定されることもあり、収納物によって、使用者が自由に上記のような温度設定を切り替えることを可能としている場合もある。また、ワインや根野菜等の保鮮のために、例えば１０℃前後の若干高めの温度設定とする場合もある。
【００３１】
冷凍室１０は冷凍保存のために通常−２２〜−１８℃で設定されているが、保鮮性向上のためより低温の温度、例えば−３０〜−２５℃で設定されることもある。冷凍サイクル１９は圧縮機１と凝縮器２と流路切替手段である三方弁３と第一のキャピラリ４と冷蔵室用蒸発器５と第一のサクションライン１３を順次接続し、三方弁３を介して第一のキャピラリ４と冷蔵室用蒸発器５と第一のサクションライン１３と並列になるように第ニのキャピラリ６と冷凍室用蒸発器７と第二のサクションライン１４と第二のサクションライン１４の途中には逆止弁８を接続してある。そして、流路切替手段である三方弁３は、冷蔵室用蒸発器５にも冷凍室用蒸発器７にも連通しない全閉機能を有している。そして、冷凍サイクルの冷媒としては、炭化水素系冷媒、たとえばイソブタンを用いている。
【００３２】
圧縮機１と凝縮器２と三方弁３と逆止弁８は可燃性を有する炭化水素系冷媒を用いた場合の安全性向上の面から冷蔵庫箱体１８内での配管溶接箇所低減のため機械室１７内に配設してある。また、各蒸発器から戻ってくる冷媒は圧縮機吸込管１５を通って圧縮機１内空間へ放出された後、圧縮機吐出管１６を通じて吐出される構成である。冷蔵室用蒸発器５は冷蔵室９内の、例えば冷蔵室９奥面に配設されており、近傍には冷蔵室９の区画内空気を冷蔵室用蒸発器５に通過させて循環させる冷蔵室用ファン１１が設けてある。また、冷凍室用蒸発器７は冷凍室１０内の、例えば冷凍室１０奥面に配設されており、近傍には冷凍室１０の区画内空気を冷凍室用蒸発器７を通過させて循環させる冷凍室用ファン１２が設けてある。
【００３３】
また、圧縮機１は例えばインバータによる回転数制御で冷媒循環量を制御し冷凍能力を変化させることができる能力可変型としてある。また、三方弁３は例えばパルスモータにより作動するものであり開閉の動作中のみ通電されるものである。また、冷蔵室９と冷凍室１０には区画室内温度を検知する、例えばサーミスタである温度検知手段ＴＨ１、ＴＨ２を設けてあり、圧縮機１と三方弁３と冷蔵室用ファン１１と冷凍室用ファン１２とを制御する制御手段Ｃ１とを備えている。
【００３４】
以上のように構成された冷蔵庫について、冷蔵室９と冷凍室１０の冷却制御について図２のタイムチャートを参照しながら説明する。
【００３５】
圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ１）。圧縮機１の動作により吐出された高温高圧の冷媒は、凝縮器２にて放熱して凝縮液化し、三方弁３を経て第一のキャピラリ４に至る。その後、第一のキャピラリ４で第一のサクションライン１３と熱交換しながら減圧されて冷蔵室用蒸発器５に至る。冷蔵室用ファン１１の作動により冷蔵室９内の空気と積極的に熱交換した冷媒は冷蔵室用蒸発器５内で蒸発気化し、熱交換した空気はより低温の空気となって吐出され冷蔵室９を冷却する。気化した冷媒は、第一のサクションライン１３を経て圧縮機１に吸入される。
【００３６】
なお、第二のサクションライン１４の途中に逆止弁８を配設しているので第一のサクションライン１３を経た冷媒が第二のサクションライン１４を経て冷凍室用蒸発器７内に流入することはない。
【００３７】
冷蔵室９冷却中に冷蔵室温度検知手段ＴＨ１が予め設定された所定の温度（ｔ１Ｌ）以下且つ冷凍室温度検知手段であるＴＨ２が予め設定された所定の温度（ｔ２Ｌ）以上を検知以下すると、制御手段Ｃ１はこの信号を受け冷蔵室用ファン１１を停止するとともに冷凍室用ファン１２を作動し、三方弁３を第ニのキャピラリ６側に開放し冷凍室１０の冷却を開始する（Ｔ２）。圧縮機１の動作により吐出された高温高圧の冷媒は、凝縮器２にて放熱して凝縮液化し、三方弁３を経て第ニのキャピラリ６に至る。その後、第ニのキャピラリ６で第ニのサクションライン１４と熱交換しながら減圧されて冷凍室用蒸発器７に至る。冷凍室用ファン１２の作動により冷凍室１０内の空気と積極的に熱交換した冷媒は冷凍室用蒸発器７内で蒸発気化し、熱交換した空気はより低温の空気となって吐出され冷凍室１０を冷却する。気化した冷媒は、第ニのサクションライン１４および逆止弁８を経て圧縮機１に吸入される。
【００３８】
冷凍室１０冷却中に冷凍室温度検知手段ＴＨ２が予め設定された所定の温度（ｔ２Ｌ）以下且つ冷蔵室温度検知手段であるＴＨ１が予め設定された所定の温度（ｔ１Ｈ）以上を検知すると制御手段Ｃ１はこの信号を受け冷凍室用ファン１２を停止するとともに冷蔵室用ファン１１を作動し、三方弁３を第一のキャピラリ４側に開放し冷蔵室９の冷却を開始する（Ｔ３）。
【００３９】
以上の動作を繰り返し、三方弁３を用いて冷媒の流れを切り替えることにより、冷蔵室９と冷凍室１０を交互に冷却し、冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１、冷蔵室用ファン１１、冷凍室用ファン１２を停止する（Ｔ４）。圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放し冷蔵室９冷却を開始する（Ｔ５）。
【００４０】
そして、圧縮機１停止中は三方弁３を第一のキャピラリ４側流路および第ニのキャピラリ６側流路ともに閉としているので、圧縮機１運転中に凝縮器２内に滞留していた高温高圧の冷媒は冷蔵室用蒸発器５および冷凍室用蒸発器７に流入しないので圧縮機１停止中の各部屋の温度上昇を最小限に抑えることが可能となる。また、圧縮機１停止中は凝縮器２側に冷媒を滞留しているので、次回の冷却モードが冷蔵室９冷却、冷凍室１０冷却何れの場合でも速やかに各蒸発器に冷媒を供給することが可能となり冷却効率を向上することができる。
【００４１】
なお、冷蔵室用ファン１１を停止後冷凍室１０の冷却を開始するとしたが、冷蔵室用蒸発器５を除霜する目的で冷凍室１０の冷却開始後、所定時間経過した後に冷蔵室ファン１１を停止させてもよい。これにより冷蔵室用蒸発器５を冷凍室１０の冷却中に除霜でき、次回の冷蔵室１０の冷却をさらに効率よく行うことが可能となる。また、可燃性の炭化水素系冷媒を用いた場合でも、冷蔵室用蒸発器５あるいは冷凍室用蒸発器７での冷媒滞留を減らすことができるので、冷凍サイクル内の冷媒封入量を削減でき、万が一の冷媒漏洩時の安全性を高めることができる。
【００４２】
（実施の形態２）
図３は、本発明の実施の形態２における冷蔵庫のタイムチャートを示している。なお、実施の形態１と同一構成については詳細な説明を省略し、異なる部分のみ説明する。
【００４３】
冷蔵室９と冷凍室１０の温度検知手段が共に予め設定された所定の温度（ｔ１Ｈおよびｔ２Ｌ）より低いことを検知すると三方弁３を第一のキャピラリ４側に開放し圧縮機１を停止する（Ｔ６）。そして、圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると圧縮機１と冷蔵室用ファン１１を作動し、三方弁３を第一のキャピラリ４側に開放した状態で冷蔵室９冷却を開始する（Ｔ７）。
【００４４】
以上説明したように、三方弁３を圧縮機１停止と同時に冷蔵室用蒸発器５側に開放するので、圧縮機停止直前の冷却モードに制約されることがなく、冷蔵室９冷却、冷凍室１０冷却いずれの冷却からでも圧縮機１を停止することができるので、実際の使用条件下でも効率的でフレキシブルな運転制御が可能となる。
【００４５】
また、圧縮機停止中、三方弁３は冷蔵室用蒸発器５側に開放されており、且つ逆止弁８の作用により圧縮機１運転中に凝縮機２内に滞留していた高温高圧の冷媒は冷凍室用蒸発器７に流入しないので冷凍室１０の温度上昇を最小限に抑えることが可能となる。
【００４６】
さらに、圧縮機起動時には冷蔵室用蒸発器回路を介して高圧側と低圧側の圧力は同等圧力にバランスしているので、起動時に圧縮機にかかるトルクを最小限に抑える事ができ、圧縮機のトルク不足による起動不良を防止することが可能となり圧縮機の信頼性が向上するとともに低トルクのモータ設計が可能となり省エネ効果も有する。
【００４７】
（実施の形態３）
図４は、本発明の実施の形態３における冷蔵庫のタイムチャートを示している。なお、実施の形態１と同一構成については詳細な説明を省略し、異なる部分のみ説明する。
【００４８】
冷蔵室９と冷凍室１０の温度検知手段が共に予め設定された所定の温度（ｔ１Ｈおよびｔ２Ｌ）より低いことを検知すると三方弁３を第一のキャピラリ４側流路および第ニのキャピラリ６側流路ともに閉とし圧縮機１を停止する（Ｔ８）。圧縮機１停止中に、冷蔵室９および冷凍室１０の温度検知手段であるＴＨ１もしくはＴＨ２のうちいずれか一方が、予め設定された所定の温度以上を検知すると制御手段Ｃ１はこの信号を受け、例えば冷蔵室９の温度検知手段が予め設定された所定の温度（ｔ１Ｈ）以上を検知すると三方弁３を冷蔵室蒸発器５側に開放する（Ｔ９）。そして、所定時間経過後（Ｔａ）、圧縮機１と冷蔵室用ファン１１を作動し冷蔵室９冷却を開始する（Ｔ１０）。
【００４９】
したがって、圧縮機１起動時には冷蔵室用蒸発器５回路を介して高圧側と低圧側の圧力は同等圧力にバランスしているので、起動時に圧縮機１にかかるトルクを最小限に抑えることができ圧縮機１のトルク不足による起動不良を防止することが可能となり、且つ冷蔵室９の温度検知手段が予め設定された所定の温度（ｔ１Ｈ）以上を検知するまで三方弁３を冷蔵室用蒸発器５側および冷凍室用蒸発器７側ともに閉としているので冷蔵室９の昇温を最小限に抑えることができる。つまり、冷蔵室９の効率的な温度上昇防止と圧縮機起動性向上のためのシステム圧力のバランス化を両立することができる。
【００５０】
なお、所定時間（Ｔａ）は高低圧がバランスするまでの最小時間に設定することが望ましく、外気温により高低圧がバランスする時間にばらつきがあるので外気温別に所定時間（Ｔａ）を設定することで、さらに冷却効率を向上することが可能となる。
【００５１】
また、図５のタイムチャートに示すように、圧縮機１停止中に冷凍室１０の温度検知手段が予め設定された所定の温度（ｔ２Ｈ）以上を検知した場合も同様に三方弁３を冷蔵室蒸発器５側に開放し（Ｔ９）、所定時間経過後（Ｔａ）、圧縮機１と冷凍室用ファン１２を作動し三方弁３を第二のキャピラリ６側に開放し冷凍室１０冷却を開始する。つまり、圧縮機１停止中に冷凍室１０の庫内温度が上昇した場合でも三方弁３を冷蔵室蒸発器５側に開放して高低圧をバランスさせるので、冷凍室１０の昇温を最小限に抑えることが可能となる。
【００５２】
（実施の形態４）
図６は、本発明の実施の形態４における冷蔵庫のタイムチャートを示している。なお、実施の形態１と同一構成については詳細な説明を省略し、異なる部分のみ説明する。
【００５３】
冷凍室１０冷却中に冷凍室温度検知手段ＴＨ２が予め設定された所定の温度（ｔ２Ｌ）以下且つ冷蔵室温度検知手段であるＴＨ１が予め設定された所定の温度（ｔ１Ｈ）以上を検知すると制御手段Ｃ１はこの信号を受け冷蔵室用ファン１１を作動し、三方弁３を第一のキャピラリ４側に開放し冷蔵室９の冷却を開始する（Ｔ１２）。そして、タイマーにより所定時間（ＴＦＡＮ）経過後、冷凍室用ファン１２を停止し冷蔵室９冷却を継続する（Ｔ１３）。
【００５４】
また、圧縮機１停止中に、冷蔵室９の温度検知手段が予め設定された所定の温度（ｔ１Ｈ）以上を検知すると圧縮機１と冷蔵室用ファン１１と冷凍室用ファン１２を作動し、三方弁３を第一のキャピラリ４側に開放し冷蔵室９冷却を開始する（Ｔ１４）。そして、同様にタイマーにより所定時間（ＴＦＡＮ）経過後、冷凍室用ファン１２を停止し冷蔵室９冷却を継続する（Ｔ１５）。
【００５５】
また、所定時間（ＴＦＡＮ）以内に冷蔵室温度検知手段ＴＨ１が予め設定された所定の温度（ｔ１Ｌ）以下を検知した場合は冷蔵室１０冷却を終了するとともに冷凍室用ファン１２を停止する。
【００５６】
以上説明したように、冷蔵室９冷却開始時に冷凍室用ファン１２を所定時間運転することにより冷凍室用蒸発器７内に滞留している冷媒の蒸発を促進し、冷凍室用蒸発器７から圧縮機１へ冷媒をスムーズに供給できるので冷蔵室９冷却開始時の冷媒循環量不足を防止でき冷蔵室９の冷却効率を向上することが可能となる。
【００５７】
なお、冷凍室用ファン１２が能力可変型の場合、冷蔵室９冷却開始から所定時間（ＴＦＡＮ）最大能力で運転させることにより冷凍室用蒸発器７からさらに速やかに圧縮機１へ冷媒を供給できるので冷蔵室９の冷却効率をさらに向上することが可能となる。
【００５８】
なお、図７のタイムチャートに示すように、冷凍室１０冷却中に冷凍室温度検知手段ＴＨ２が予め設定された所定の温度（ｔ２Ｌ）以下且つ冷蔵室温度検知手段であるＴＨ１が予め設定された所定の温度（ｔ１Ｈ）以上を検知すると制御手段Ｃ１はこの信号を受け冷蔵室用ファン１１を作動し、三方弁３を第一のキャピラリ４側に開放し冷蔵室９の冷却を開始する（Ｔ１６）。
【００５９】
そして、冷蔵室９冷却中に冷凍室用蒸発器７の配管もしくはフィンに取り付けた温度検知手段ＴＨ３が冷凍室温度検知手段ＴＨ２より設定温度（ｔ２３）以上高いことを検知すると所定時間（ＴＦＡＮ）内であっても冷凍室ファン１２を停止させる（Ｔ１７）。
【００６０】
以上より、冷蔵室９冷却開始時に冷凍室用ファン１２を運転することにより冷凍室用蒸発器７内に滞留している冷媒の蒸発を促進し、冷凍室用蒸発器７から圧縮機１へ冷媒をスムーズに供給できるので冷蔵室９冷却開始時の冷媒循環量不足を防止でき冷蔵室９の冷却効率を向上することが可能となり、且つ冷凍室用蒸発器７内に滞留していた冷媒が全て圧縮機１側へ供給されたか検知することができるので、必要以上に冷凍室用ファン１２を運転させることがなくなり冷蔵室９冷却中の冷凍室１０の昇温を最小限に抑えることが可能となる。
【００６１】
なお、上記実施の形態では冷凍室１０冷却から冷蔵室９冷却を開始する例で説明したが、圧縮機１停止から冷蔵室９冷却を開始する場合も同様の効果が得られる。
【００６２】
（実施の形態５）
図８は、本発明の実施の形態５における冷蔵庫のタイムチャートを示している。なお、実施の形態１と同一構成については詳細な説明を省略し、異なる部分のみ説明する。
【００６３】
冷蔵室９冷却と冷凍室１０冷却の冷却時間にそれぞれ最大冷却時間ＴｍＰＣ、ＴｍＦＣを設けて最大時間経過後冷却状態の切り替えることを行うことを特徴としている。
【００６４】
冷凍室１０冷却中に冷凍室温度検知手段ＴＨ２が予め設定された所定の温度（ｔ２Ｌ）以下且つ冷蔵室温度検知手段であるＴＨ１が予め設定された所定の温度（ｔ１Ｈ）以上を検知すると制御手段Ｃ１はこの信号を受け冷凍室用ファン１２を停止するとともに冷蔵室用ファン１１を作動し、三方弁３を第一のキャピラリ４側に開放し冷蔵室９の冷却を開始する（Ｔ２０）。
【００６５】
そして、冷蔵室９冷却中に冷蔵室温度検知手段ＴＨ１が予め設定された所定の温度（ｔ１Ｌ）以下にならなければ冷蔵室９冷却に設けられた最大冷蔵室冷却時間（ＴｍＰＣ）経過後、冷蔵室用ファン１１を停止するとともに冷凍室用ファン１２を作動し、三方弁３を第ニのキャピラリ６側に開放し冷蔵室９冷却を終了するとともに冷凍室１０冷却を開始する（Ｔ２１）。
【００６６】
そして、冷蔵室９冷却同様、冷凍室１０冷却中に冷蔵室温度検知手段ＴＨ２が予め設定された所定の温度（ｔ２Ｌ）以下にならなければ冷凍室１０冷却に設けられた最大冷凍室冷却時間（ＴｍＦＣ）経過後、冷凍室用ファン１２を停止するとともに冷蔵室用ファン１１を作動し、三方弁３を第一のキャピラリ４側に開放し冷凍室１０冷却を終了するとともに冷蔵室９冷却を開始する（Ｔ２２）。
【００６７】
以上の動作を繰り返し、最大冷却時間内に温度検知手段が所定の温度（ｔ１Ｌ、ｔ２Ｌ）に到達すれば冷却状態の切り替えを行う。
【００６８】
したがって、例えば冷蔵室９のドア開閉が頻繁に行われた場合、所定の温度（ｔ１Ｌ）のみで冷蔵室９の冷却を制御すると長時間冷凍室１０の冷却に移行しないので冷凍室１０内の食品の温度上昇が激しくなりアイスクリームが溶ける等の問題が生ずるが、本実施の形態のように冷蔵室９、冷凍室１０の冷却に最大冷却時間を設けることにより偏った負荷バランスの場合でも負荷が軽い部屋の昇温を抑えつつ、負荷が大きい部屋の冷却を優先して行うことが可能となる。
【００６９】
なお、各部屋の最大冷却時間（ＴｍＰＣ、ＴｍＦＣ）を各外気温別に設けるとさらに効率よく冷却を行うことが可能となる。
【００７０】
また、冷蔵室９冷却と冷凍室１０冷却の冷却時間にそれぞれ最大冷却時間ＴｍＰＣ、ＴｍＦＣを設け、且つＴｍＰＣ、ＴｍＦＣを、冷却開始時の冷却を開始する側の庫内温度と設定温度との温度差および冷却を行わない側の庫内温度と設定温度との温度差により毎サイクルごとに見直しを行うことができる。
【００７１】
（表１）は最大冷蔵室冷却時間ＴｍＰＣ設定テーブルの一例を示す。
【００７２】
【表１】
0004021209.tif 000002
【００７３】
（表２）は最大冷凍室冷却時間ＴｍＦＣ設定テーブルの一例を示す。
【００７４】
【表２】
0004021209.tif 000003
【００７５】
ここで、（表１）、（表２）に示した最大冷却時間テーブルより具体的な数値を用いてＴｍＰＣ、ＴｍＦＣの設定方法を説明する。
【００７６】
冷蔵室９冷却開始時に、例えば冷蔵室温度検知手段であるＴＨ１が予め設定された所定の温度（ｔ１Ｈ）＋２℃以下であり、且つ冷凍室検知手段であるＴＨ２が予め設定された所定の温度（ｔ２Ｈ）以下である場合、冷蔵室９、冷凍室１０ともに優先して冷却する必要はないと判断し、最大冷蔵室冷却時間を基本時間であるＴｍＰＣとして冷蔵室９の冷却を開始する。
【００７７】
また、冷蔵室９冷却開始時に、ＴＨ１がｔ１Ｈ＋２℃以上、ｔ１Ｈ＋４℃以下であり、且つ冷凍室検知手段であるＴＨ２がｔ２Ｈ以下である場合は冷蔵室９を優先して冷却すべきであると判断し、最大冷蔵室冷却時間を基本時間であるＴｍＰＣ＋５分に延長し冷蔵室９の冷却を開始する。
【００７８】
同様に、冷蔵室９冷却開始時に、ＴＨ１がｔ１Ｈ＋４℃以上であり、且つ冷凍室検知手段であるＴＨ２がｔ２Ｈ以下である場合は冷蔵室９をさらに優先して冷却すべきであると判断し、最大冷蔵室冷却時間を基本時間であるＴｍＰＣ＋１０分に延長し冷蔵室９の冷却を開始する。
【００７９】
次に、冷蔵室９冷却開始時に、冷凍室検知手段であるＴＨ２が予め設定された所定の温度（ｔ２Ｈ）以上である場合について説明する。
【００８０】
冷蔵室９冷却開始時に、ＴＨ１がｔ１Ｈ＋２℃以下であり、且つＴＨ２がｔ２Ｈ以上、ｔ１Ｈ＋２℃以下である場合は、冷蔵室９、冷凍室１０ともに優先して冷却する必要はないと判断し、最大冷蔵室冷却時間を基本時間であるＴｍＰＣとして冷蔵室９の冷却を開始する。
【００８１】
また、冷蔵室９冷却開始時に、ＴＨ１がｔ１Ｈ＋２℃以下であり、且つＴＨ２がｔ２Ｈ＋２℃以上、ｔ２Ｈ＋４℃以下である場合は冷凍室１０を優先して冷却すべきであると判断し、次回の冷凍室１０冷却を速やかに開始するために最大冷蔵室冷却時間を基本時間であるＴｍＰＣ−５分に短縮し冷蔵室９の冷却を開始する。
【００８２】
同様に、冷蔵室９冷却開始時に、ＴＨ１がｔ１Ｈ＋２℃以下であり、且つＴＨ２がｔ２Ｈ＋４℃以上である場合は冷凍室１０をさらに優先して冷却すべきであると判断し、次回の冷凍室１０冷却を速やかに開始するために最大冷蔵室冷却時間を基本時間であるＴｍＰＣ−１０分に短縮し冷蔵室９の冷却を開始する。
【００８３】
同様に、冷蔵室９冷却開始時に、ＴＨ１がｔ１Ｈ＋４℃以上であり、且つＴＨ２がｔ２Ｈ＋４℃以上である場合は冷蔵室９、冷凍室１０ともに庫内の温度上昇が大きく、偏ることなく交互に冷却を行う必要があるので、最大冷蔵室冷却時間を基本時間であるＴｍＰＣとして冷蔵室９の冷却を開始する。
【００８４】
以上説明したように、冷蔵室９冷却開始時に最大冷蔵室冷却時間ＴｍＰＣテーブルにより最大冷蔵室冷却時間の見直しを毎サイクルごとに行い、冷蔵室９の冷却を行う。また、冷凍室１０に関しても同様に、冷凍室１０冷却開始時に最大冷凍室冷却時間ＴｍＦＣテーブルにより最大冷凍室冷却時間の見直しを毎サイクルごとに行い、冷凍室１０の冷却を行うことにより、一方の部屋の庫内温度が設定温度に対して大幅に大きい場合、他方の部屋の最大冷却時間を小さく設定することにより冷却すべき部屋の冷却に速やかに移行し優先して冷却することができるので食品の昇温を最小限に抑えることが可能となる。
【００８５】
また、各部屋の基本の最大冷却時間（ＴｍＰＣ、ＴｍＦＣ）を各外気温別に組合せ設けるとさらに効率よく冷却を行うことが可能となる。
【００８６】
また、ＴｍＰＣ、ＴｍＦＣのテーブルは一例であるのでＴＨ１とｔ１Ｈの差とＴＨ２とｔ２Ｈの差の範囲を２℃、４℃と同様の数値としたがデータの蓄積によりＴＨ１とＴＨ２の範囲を異なる数値にすることにより、さらに効率よく冷却を行うことが可能となる。
【００８７】
（実施の形態６）
図９は、本発明の実施の形態６における冷蔵庫のタイムチャートを示している。
【００８８】
本実施の形態の冷蔵庫における圧縮機１の回転数は、圧縮機１停止から冷却への移行の場合は冷却を開始する庫内の庫内温度と設定温度との温度差により決定し、冷却から冷却への移行の場合は移行直前の回転数を最低回転数とした上で庫内温度と設定温度との温度差により回転数を決定するものである。
【００８９】
（表３）は同実施の形態の冷蔵庫の冷蔵室冷却時の圧縮機回転数設定テーブルである。
【００９０】
【表３】
0004021209.tif 000004
【００９１】
（表４）は同実施の形態の冷蔵庫の冷凍室冷却時の圧縮機回転数設定テーブルである。
【００９２】
【表４】
0004021209.tif 000005
【００９３】
（表３）、（表４）において、圧縮機１停止中に、例えば冷蔵室９の温度検知手段が予め設定された所定の温度ｔ１Ｈ以上、ｔＨ１＋ｔｐｃ１以下を検知した場合、冷蔵室９冷却時の圧縮機回転数設定テーブルにより決められた回転数ＨＺ１で圧縮機１を作動し、冷蔵室９の冷却を開始する（Ｔ２３）。
【００９４】
冷蔵室９冷却終了後、冷凍室検知手段であるＴＨ２が予め設定された所定の温度ｔ２Ｈ＋ｔｆｃ１以上、ｔ２Ｈ＋ｔｆｃ２以下を検知した場合、冷凍室１０冷却時の圧縮機回転数設定テーブルにより決められた回転数ＨＺ２に圧縮機１の回転数をシフトＵＰし、冷凍室１０の冷却を開始する（Ｔ２４）。
【００９５】
冷凍室１０冷却終了後、冷蔵室検知手段であるＴＨ１がｔ１Ｈ＋ｔｆｃ２以上を検知した場合、冷蔵室９冷却時の圧縮機回転数設定テーブルにより決められた回転数ＨＺ３に圧縮機１の回転数をシフトＵＰし、冷蔵室９の冷却を開始する（Ｔ２５）。冷蔵室９冷却終了後、冷凍室検知手段であるＴＨ２が所定の温度ｔ２Ｈ＋ｔｆｃ１以上、ｔ２Ｈ＋ｔｆｃ２以下を検知した場合、冷凍室１０冷却時の圧縮機回転数設定テーブルにより決められる圧縮機１の回転数はＨＺ２となるが、冷蔵室９冷却終了時の圧縮機１の回転数がＨＺ３であるので、ＨＺ３を最低回転数として圧縮機回転数設定テーブルより回転数を決定し、回転数ＨＺ３で冷凍室１０の冷却を開始する（Ｔ２６）。
【００９６】
圧縮機１の回転数をＨＺ３に維持したまま以上の動作を繰り返し、冷蔵室９と冷凍室１０の温度検知手段が共に予め設定された所定の温度（ｔ１Ｈおよびｔ２Ｌ）より低いことを検知すると圧縮機１を停止する（Ｔ２８）。
【００９７】
また、次回の圧縮機１起動は昇温した側の圧縮機回転数設定テーブルにより決められた回転数で行う。
【００９８】
以上説明したように、冷凍室１０の冷却を必要以上の圧縮機１の冷凍能力で行うために速やかに冷凍室１０冷却を終了し、庫内温度と設定温度との差が大きい冷蔵室９の冷却を優先して行うことができるので、庫内温度と設定温度との差が大きい側の食品の昇温を最小限に抑えることが可能となる。
【００９９】
また、圧縮機１の起動から停止までの回転数変動を最小限に抑えることができるので安定した冷却が可能となる。
【０１００】
なお、上記実施の形態では冷蔵室９冷却から冷凍室１０冷却に移行する場合の圧縮機１の回転数設定について説明したが、冷凍室１０冷却から冷蔵室９冷却に移行する場合も圧縮機１の最低回転数の設定を冷凍室１０冷却の最終回転数とすると同様の効果が得られる。
【０１０１】
また、本実施の形態における冷蔵庫は、圧縮機１の回転数は、同一冷却モード中は回転数上昇のみを行なうものである。
【０１０２】
つまり、冷凍室１０冷却終了後、冷蔵室検知手段であるＴＨ１がｔ１Ｈ＋ｆｃ２以上を検知した場合、冷蔵室冷却時の圧縮機回転数設定テーブルにより決められた回転数ＨＺ３で冷蔵室９の冷却を開始する（Ｔ２５）。そして、冷蔵室９冷却中にＴＨ１が所定の温度ｔ１Ｈ＋ｔｐｃ２以下を検知した場合、冷蔵室９冷却時の圧縮機回転数設定テーブルにより決められる圧縮機１の回転数はＨＺ２となるが、現在の回転数であるＨＺ３のまま冷蔵室９冷却を終了する（Ｔ２６）。また、同様に冷凍室１０冷却中に冷凍室温度検知手段であるＴＨ２がｔ２Ｈ＋ｔｆｃ１以下を検知しても現在の回転数であるＨＺ３を維持したまま冷凍室１０冷却を終了する（Ｔ２７）。
【０１０３】
そして、圧縮機１の回転数をＨＺ３に維持したまま以上の動作を繰り返し、冷蔵室９と冷凍室１０の温度検知手段が共に予め設定された所定の温度（ｔ１Ｈおよびｔ２Ｌ）より低いことを検知すると圧縮機１を停止する（Ｔ２８）。
【０１０４】
したがって、庫内温度の昇温が小さい側の冷却を必要以上の圧縮機１の冷凍能力で行うために速やかに終了でき、庫内温度と設定温度との差が大きい側の冷却を優先して行うことができるので、庫内温度と設定温度との差が大きい側の食品の昇温を最小限に抑えることが可能となる。また、圧縮機１の起動から停止までの回転数変動を最小限に抑えることができるので安定した冷却が可能となる。
【０１０５】
また、本実施の形態における冷蔵庫は、圧縮機１停止中に冷蔵室９および冷凍室１０が共に設定温度以上を検知した場合、冷蔵室９から冷却を開始するものである。
【０１０６】
冷蔵室９冷却中、冷凍室用蒸発器７内に滞留している冷媒は圧縮機１側へ回収された後、冷蔵室９冷却側回路へと供給されているが、冷媒は冷凍サイクル内で最も低温である箇所に滞留しやすい性質があるので、冷蔵室９冷却時の冷凍室用蒸発器７の温度が高いほど、より速やかに冷凍室用蒸発器７内に滞留している冷媒を圧縮機１側へ回収することが可能になる。
【０１０７】
そこで、圧縮機１停止状態から冷蔵室９を冷却する場合、冷凍室用蒸発器７が低温となる冷凍室１０冷却が終了してから冷蔵室９冷却を開始するより、冷凍室用蒸発器７が比較的高温となっている圧縮機１停止状態から冷蔵室９冷却を開始した方が冷媒不足になりにくく、冷媒を効率よく利用できるので、冷蔵室９冷却の効率を向上することが可能となる。
【０１０８】
なお、冷蔵庫の電源投入時も上記と同様の理由により、冷蔵室９冷却から開始することにより冷蔵室９冷却の効率を向上できるので冷蔵室９の冷却スピードを早めることが可能となる。
【０１０９】
（実施の形態７）
図１０は、本発明の実施の形態７における冷蔵庫のタイムチャートを示している。なお、実施の形態１と同一構成については詳細な説明を省略し、異なる部分のみ説明する。
【０１１０】
冷凍室用蒸発器７を図示しない除霜ヒータにより除霜した後の冷却は冷凍室１０冷却から開始するものである。
【０１１１】
制御手段Ｃ1から除霜開始の信号を受けると、圧縮機１、冷蔵室用ファン１１、冷凍室用ファン１２を停止し三方弁３を冷凍室用蒸発器７側に開放するとともに除霜ヒータの通電を行い冷凍室用蒸発器７の除霜を開始する（Ｔ２９）。
【０１１２】
除霜中に冷凍室用蒸発器７の配管もしくはフィンに取り付けた温度検知手段ＴＨ３が設定温度（t３Ｈ）を検知すると除霜ヒータの通電を停止し除霜を終了する（Ｔ３０）。
【０１１３】
除霜終了後、圧縮機１と冷凍室用ファン１２を作動し、三方弁３を冷凍室用蒸発器７側に開放し冷凍室１０の冷却を開始する。除霜後は冷凍室１０の冷却を優先して行うことにより、除霜による冷凍室１０の昇温を最小限に抑えることができアイスクリーム等の冷凍食品の保鮮性を向上することが可能となる。
【０１１４】
なお、冷凍室用蒸発器７の除霜は常に冷凍室１０冷却モード終了時に開始するとさらに冷凍室１０の昇温を抑えることが可能となる。
【０１１７】
【発明の効果】
以上説明したように、請求項１に記載の発明は、圧縮機と、凝縮器と、流路切替手段である三方弁と、第一のキャピラリと、冷蔵室用蒸発器と、第二のキャピラリと、冷凍室用蒸発器と、逆止弁と、冷蔵室冷却用ファンと、冷凍室冷却用ファンとを備えた冷蔵室と冷凍室とを有する冷蔵庫において、前記冷蔵室に前記冷蔵室用蒸発器を、前記冷凍室に前記冷凍室用蒸発器をそれぞれ並列に配設し、前記三方弁により冷媒の流れを冷蔵室用蒸発器と冷凍室用蒸発器に切り替え、前記冷蔵室と前記冷凍室を交互に冷却するものであり、前記冷蔵室の温度と前記冷凍室の温度が共に設定温度以下を検出すると前記圧縮機を停止すると共に前記三方弁を全閉とし、各庫内温度の何れか一方が設定温度以上を検知すると前記三方弁を前記冷蔵室用蒸発器側に開としたのち所定時間経過後、前記圧縮機を起動させるものであり、圧縮機停止初期に、高温高圧の冷媒が冷蔵室、冷凍室それぞれの蒸発器ともに流入しないので、圧縮機停止直前の最もよく冷却された蒸発器の温度上昇を防止でき、各庫内の温度上昇を効率的に抑えることが可能となる。とともに、圧縮機起動時には冷蔵室用蒸発器回路を介して高圧側と低圧側の圧力は同等圧力にバランスしているので、起動時に圧縮機にかかるトルクを最小限に抑えることができ圧縮機のトルク不足による起動不良を防止することが可能となる。
【０１１８】
請求項２に記載の発明は、請求項１に記載の発明において、冷蔵室冷却開始時、所定時間、冷凍室冷却用ファンを運転するものであり、冷凍室用蒸発器内に滞留している冷媒の蒸発を促進し冷凍室用蒸発器から圧縮機へ冷媒をスムーズに供給できるので冷蔵室冷却開始時の冷媒循環量不足を防止でき冷却効率を向上することが可能なる。また、効率的な冷媒供給によりシステム内の冷媒封入量を低減することができ、可燃性冷媒である自然冷媒を用いた場合でも漏洩時の安全性を高めることができる。
【０１１９】
請求項３に記載の発明は、請求項２に記載の発明において、冷蔵室冷却モード中に冷凍室用蒸発器の温度検知手段が冷凍室の温度検知手段より所定温度以上高いことを検知すると、所定時間内であっても冷凍室冷却用ファンを停止させるものであり、冷凍室用蒸発器内に滞留していた冷媒が全て圧縮機側へ供給されたか検知することができ、冷凍室用ファンの運転時間を短縮できるので冷蔵室冷却中の冷凍室の昇温を最小限に抑えることが可能となる。
【０１２０】
請求項４に記載の発明は、請求項１から請求項３のいずれか一項に記載の発明において、冷蔵室冷却モードと冷凍室冷却モードの切替は、現在冷却を行っている庫内の設定温度以下または各冷却モード毎に設定した最大冷却時間経過後に行うものであり、実際の使用条件下において各庫内を偏ることなく交互に効率よく冷却することが可能となる。
【０１２４】
請求項５に記載の発明は、請求項１から請求項４のいずれか一項に記載の発明において、圧縮機停止中に冷蔵室および冷凍室が共に設定温度以上を検知した場合、冷蔵室冷却モードから冷却を開始するものであり、冷蔵室冷却モード中に冷凍室蒸発器内に滞留する冷媒を最小限に抑えることができ冷蔵室冷却の効率を向上することが可能となる。
【０１２５】
請求項６に記載の発明は、請求項１から請求項５のいずれか一項に記載の発明において、冷凍室用蒸発器を除霜する除霜ヒータを有し、前記除霜ヒータにより前記冷凍室用蒸発器を除霜した後は、冷凍室冷却モードから開始するものであり、除霜による冷凍室庫内の昇温を最小限に抑えることができアイスクリーム等の冷凍食品の保鮮性を向上することが可能となる。
【０１２６】
請求項７に記載の発明は、請求項１から請求項６のいずれか一項に記載の発明において、電源投入時は冷蔵室冷却モードから冷却を開始するものであり、電源投入後初回の前記冷蔵室冷却中に冷凍室蒸発器内に滞留する冷媒を最小限に抑えることができ冷蔵室冷却の効率を向上することが可能となる。
【０１２７】
請求項８に記載の発明は、請求項１から請求項７のいずれか一項に記載の発明において、冷凍サイクルの冷媒として、炭化水素を用いたものであり、地球温暖化を抑制できるとともに、冷却効率を高めた冷蔵庫を提供できる。
【図面の簡単な説明】
【図１】本発明による冷蔵庫の実施の形態１の断面図
【図２】同実施の形態の冷蔵庫のタイムチャート
【図３】本発明による冷蔵庫の実施の形態２のタイムチャート
【図４】本発明による冷蔵庫の実施の形態３のタイムチャート
【図５】同実施の形態の冷蔵庫の他の事例を示すタイムチャート
【図６】本発明による冷蔵庫の実施の形態４のタイムチャート
【図７】同実施の形態の冷蔵庫の他の事例を示すタイムチャート
【図８】本発明による冷蔵庫の実施の形態５のタイムチャート
【図９】本発明による冷蔵庫の実施の形態６のタイムチャート
【図１０】本発明による冷蔵庫の実施の形態７のタイムチャート
【図１１】従来の冷蔵庫の断面図
【符号の説明】
１    圧縮機
２    凝縮器
３    三方弁
４    第一のキャピラリ
５    冷蔵室用蒸発器
６    第二のキャピラリ
７    冷凍室用蒸発器
８    逆止弁
９    冷蔵室
１０  冷凍室
１１  冷蔵室用ファン
１２  冷凍室用ファン
１３  第一のサクション
１４  第二のサクション
１５  圧縮機吸込管
１６  圧縮機吐出管
１７  機械室
１８  冷蔵庫
１９  冷凍サイクル
Ｃ１  制御手段
ＴＨ1、ＴＨ２、ＴＨ３  温度検知手段
【図１】
0004021209.tif 000006
【図２】
0004021209.tif 000007
【図３】
0004021209.tif 000008
【図４】
0004021209.tif 000009
【図５】
0004021209.tif 000010
【図６】
0004021209.tif 000011
【図７】
0004021209.tif 000012
【図８】
0004021209.tif 000013
【図９】
0004021209.tif 000014
【図１０】
0004021209.tif 000015
【図１１】
0004021209.tif 000016